(57)【要約】【課題】    開放時における通気防虫性能を保持しつつ雨水の浸入を確実に防止することができる建具を提供すること。【解決手段】障子３を開放した際に障子３の四周端縁と開口部２Ａの四周開口端縁との間に形成される四周の隙間のうち、下および左右の三方の隙間を通気防虫手段で塞ぐとともに、上部の隙間２１Ａを突片（遮水手段）３５Ａで塞いだことで、虫や埃等の侵入を防止しかつ十分な通気を確保することができるとともに、上方からの雨水の浸入を確実に防止することができる。従って、障子３を開放位置まで開放した通気時に雨が降ったとしても、上方からの雨水の浸入を防いで室内が濡れることが防止できる。【選択図】  図９
2006336370.tif 000002
【特許請求の範囲】
【請求項１】
開口部を有した枠体と、この枠体に支持された面材とを備え、この面材が前記枠体の開口部を塞ぐ閉鎖位置と、前記枠体の室外側に突出した開放位置との間を開閉移動可能に設けられた突出し形式の建具であって、
前記開放位置における前記面材の上下左右の端縁が前記開口部の上下左右の開口端縁から見込み方向に離隔され、これら上下左右の離隔部分のうち、前記面材の下および左右の端縁と前記開口部の下および左右の開口端縁との離隔部分には、通気可能かつ虫の侵入を防止可能な通気防虫手段が設けられ、前記面材の上端縁と前記開口部の上開口端縁との離隔部分には、雨水の浸入を防止する遮水手段が設けられている建具。
【請求項２】
前記通気防虫手段は、前記面材の下および左右の端縁からそれぞれ室内側に突出した突片と、この突片に設けられた開口を覆う網材とを有して構成され、
前記遮水手段は、前記面材の上端縁から室内側に突出した突片を有して構成されている請求項１に記載の建具。
【請求項３】
前記通気防虫手段の突片および前記遮水手段の突片には、それぞれ当該突片の見付け方向外方に開口し、かつ当該突片が設けられた前記面材の上下左右の各端縁に沿って延びる凹状の溝部を有して形成され、
前記通気防虫手段の網材は、前記突片の溝部に係止されている請求項２に記載の建具。
【請求項４】
前記突片の先端部には、前記溝部の底面よりも見付け方向外方に位置し、かつ見込み方向に延びる当接面部が形成され、
前記開口端縁には、見付け方向内方に突出し、かつ前記突片の当接面部に当接可能な当接部材が設けられている請求項３に記載の建具。
【請求項５】
前記面材は、前記開放位置よりも室外側に突出した第２開放位置まで開放可能に構成され、前記通気防虫手段の突片および前記遮水手段の突片は、前記面材の四周端縁に取り付けられるとともに、前記第２開放位置に前記面材を移動させた状態において当該面材に対して着脱可能に構成されている請求項２から請求項４のいずれかに記載の建具。
【請求項６】
建物の出入口に開閉可能に設けられた扉体から前記枠体が構成されるとともに、この扉体に対して室外側に突出して前記面材が開閉可能に設けられたドアである請求項１から請求項５のいずれかに記載の建具。
【発明の詳細な説明】
【技術分野】
【０００１】
本発明は、建具に関し、詳しくは、枠体の開口を塞ぐ閉鎖位置と枠体の室外側に突出した開放位置との間を開閉移動可能な面材を有した建具に関する。
【背景技術】
【０００２】
面材が窓枠等の枠体から突出して開放される突出し窓等の建具が知られている（例えば、特許文献１参照）。
特許文献１に記載された突出し窓は、開口部を有した枠体である玄関扉と、この玄関扉の開口部に突没自在に設けられた面材（小窓サッシ）とを有して構成されている。そして、この突出し窓は、面材の四周端縁から見込み方向室内側に延びた防虫網を備え、面材を開放した際に、面材の四周端縁と玄関扉の開口部内周縁との間が防虫網で覆われることで、虫等の侵入を防止しつつ通気可能に構成されている。
【０００３】
【特許文献１】特公平７−６８８２０号公報
【発明の開示】
【発明が解決しようとする課題】
【０００４】
しかしながら、前記特許文献１に記載された従来の突出し窓では、防虫網が面材の四周全てに設けられているため、面材を開放した状態で雨が降った場合には、面材の上端縁と開口部上縁との間の防虫網から雨水が室内側に浸入してしまうという問題がある。
【０００５】
本発明の目的は、開放時における通気防虫性能を保持しつつ雨水の浸入を確実に防止することができる建具を提供することにある。
【課題を解決するための手段】
【０００６】
本発明の建具は、開口部を有した枠体と、この枠体に支持された面材とを備え、この面材が前記枠体の開口部を塞ぐ閉鎖位置と、前記枠体の室外側に突出した開放位置との間を開閉移動可能に設けられた突出し形式の建具であって、前記開放位置における前記面材の上下左右の端縁が前記開口部の上下左右の開口端縁から見込み方向に離隔され、これら上下左右の離隔部分のうち、前記面材の下および左右の端縁と前記開口部の下および左右の開口端縁との離隔部分には、通気可能かつ虫の侵入を防止可能な通気防虫手段が設けられ、前記面材の上端縁と前記開口部の上開口端縁との離隔部分には、雨水の浸入を防止する遮水手段が設けられていることを特徴とする。
【０００７】
ここで、枠体としては、建物等の躯体に固定されたものでもよく、また枠体自身が躯体等に開閉移動可能に支持されたものでもよい。
また、面材としては、ガラスパネルや樹脂製パネル等の板材から形成されたものでもよく、上下左右の框材を四周框組みした内部に板材を嵌め込んで形成された障子でもよい。
【０００８】
以上の本発明によれば、面材を開放した際に面材と開口部との間に形成される四周の離隔部分のうち、下および左右の三方に設けた通気防虫手段によって、虫や埃等の侵入を防止しかつ十分な通気を確保することができるとともに、上辺の離隔部分に設けた遮水手段によって上辺の離隔部分からの雨水の浸入を確実に防止することができる。
【０００９】
この際、本発明の建具では、前記通気防虫手段は、前記面材の下および左右の端縁からそれぞれ室内側に突出した突片と、この突片に設けられた開口を覆う網材とを有して構成され、前記遮水手段は、前記面材の上端縁から室内側に突出した突片を有して構成されていることが好ましい。
このような構成によれば、面材の四周端縁から室内側に突出した突片によって通気防虫手段および遮水手段を構成することで、面材を閉鎖位置に移動した状態において、通気防虫手段および遮水手段を開口部の開口端縁に沿って位置させることができる。従って、面材の閉鎖状態時に、通気防虫手段および遮水手段が建具外面に突出することがなく、これらを目立たなくすることができ、建具の意匠性を向上させることができる。
【００１０】
さらに、本発明の建具では、前記通気防虫手段の突片および前記遮水手段の突片には、それぞれ当該突片の見付け方向外方に開口し、かつ当該突片が設けられた前記面材の上下左右の各端縁に沿って延びる凹状の溝部を有して形成され、前記通気防虫手段の網材は、前記突片の溝部に係止されていることが好ましい。
このような構成によれば、遮水手段を構成する突片、つまり面材の上端縁から室内側に突出した突片に見付け方向外方である上方に開口した溝部を形成したことで、この溝部で雨水を面材の上端縁に沿った左右方向に案内して排水することができ、室内側への雨水の浸入をより確実に防止することができる。また、通気防虫手段の突片においては、見付け方向外方である下方または左右の室外側に開口した溝部に網材を係止したことで、室外側から網材の清掃を容易に実施することができる。さらに、通気防虫手段の突片および前記遮水手段の突片ともに溝部を有した形状としたことで、これらの突片を略同一断面に形成することもでき、通気防虫手段および遮水手段と開口部の開口端縁との収まりを共通化することができる。
【００１１】
さらに、本発明の建具では、前記突片の先端部には、前記溝部の底面よりも見付け方向外方に位置し、かつ見込み方向に延びる当接面部が形成され、前記開口端縁には、見付け方向内方に突出し、かつ前記突片の当接面部に当接可能な当接部材が設けられていることが好ましい。
このような構成によれば、面材を開放した状態において、突片の当接面部に開口端縁の当接部材を当接させることで、通気防虫手段では、突片と開口端縁との間からの虫等の侵入を防止することができ、遮水手段では、突片と開口端縁との間からの虫等の侵入および雨水等の浸入を防止することができ、防虫性能や止水性能をさらに向上させることができる。
【００１２】
また、本発明の建具では、前記面材は、前記開放位置よりも室外側に突出した第２開放位置まで開放可能に構成され、前記通気防虫手段の突片および前記遮水手段の突片は、前記面材の四周端縁に取り付けられるとともに、前記第２開放位置に前記面材を移動させた状態において当該面材に対して着脱可能に構成されていることが好ましい。
このような構成によれば、突片を面材の端縁と別体に形成して着脱可能に構成するとともに、開放位置よりも大きく開放可能な第２開放位置まで面材を開放した状態で突片を取り外すことで、通気防虫手段の網体を清掃したり交換したりする作業を容易に実施することができる。この際、面材の四周を囲んで配置されるモールや格子体等の部材に突片を形成してもよく、このモールや格子体等に突片を形成することで建具の外観意匠性をさらに向上させることができる。
【００１３】
また、本発明の建具は、建物の出入口に開閉可能に設けられた扉体から前記枠体が構成されるとともに、この扉体に対して室外側に突出して前記面材が開閉可能に設けられたドアであることが好ましい。
このような構成によれば、扉体に面材を突没開閉可能に支持させたことで、前述の各作用効果を有したドアを構成することができるとともに、扉体を閉じた施錠状態で面材を開放すれば、防犯性を有したままで通気や換気を実施することができ、快適な室内環境を得ることができる。
【発明を実施するための最良の形態】
【００１４】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１５】
〔第１実施形態〕
図１および図２は、それぞれ本発明の第１実施形態に係る建具であるドア１を示す姿図であって、図１は、ドア１を室内側から見た内観姿図であり、図２は、ドア１を室外側から見た外観姿図である。図３および図４は、それぞれドア１を示す縦断面図および横断面図であり、障子３を閉じた状態を示している。図５および図６は、それぞれドア１を示す縦断面図および横断面図であり、障子３を開いた状態を示している。ここで、図３および図５は、図１に矢視III −III 線（矢視Ｖ−Ｖ線）で示す断面図であり、図４および図６は、図１に矢視IV−IV線（矢視VI−VI線）で示す断面図である。
図１〜図６において、ドア１は、戸建て住宅や集合住宅等の建物の出入り口（玄関や勝手口）に設けられて建物の室内空間と室外空間とを仕切るとともに、開閉することで居住者等が出入り可能、かつ施錠することで防犯性を有して構成されたものである。なお、各図において、ドア１が取り付けられる建物の外壁や、外壁に固定されたドア枠等の図示を省略した。
【００１６】
ドア１は、金属製の板材を組み合わせて全体略矩形状に形成された枠体としての扉体２と、この扉体２の開口部２Ａ部分に支持された面材としての障子３と、扉体２をヒンジを介して開閉可能に支持するドア枠（不図示）とを備えて構成されている。扉体２の略中央部には、上下左右の開口端縁２１，２２，２３（図５、６参照）から縦長矩形状に形成された開口部２Ａが設けられている。
障子３は、上框３１、下框３２、および左右の縦框３３を四周框組みした内部に、ガラスパネル３４を嵌め込んで構成されている。この障子３は、扉体２の開口部２Ａを塞ぐ閉鎖位置（図３および図４の位置）と、扉体２の見込み方向室外側に突出した開放位置（図５および図６の位置）との間を突没移動可能に支持されている。そして、障子３の上框３１、下框３２、および縦框３３の室外側には、それぞれ上モール材３５、下モール材３６、および左右の縦モール材３７を四周枠組みしたモール枠が取り付けられている。
【００１７】
そして、ドア１には、障子３を見込み方向に突没移動可能に支持する障子支持部４と、障子３を開閉操作するための障子操作部（面材操作部）５とが設けられている。以下、障子支持部４および障子操作部５の構造について、図７および図８も参照して詳しく説明する。
図７は、障子支持部４を示す横断面図であり、図８は、障子操作部５を示す横断面図である。なお、図７および図８は、それぞれ障子３を後述するメンテナンス位置（第２開放位置）まで開放した状態における障子支持部４および障子操作部５を示している。
【００１８】
障子支持部４は、扉体２の左右の開口端縁（縦開口端縁）２３における上下に離隔した位置である上部および下部に、それぞれ開口部２Ａを挟んで互いに対向して一対ずつが２組（４箇所に）設けられている。これらの障子支持部４は、図７に示すように、開口端縁２３に固定された枠側ブラケット４１と、障子３の縦框３３に固定された障子側ブラケット４２と、これらの枠側ブラケット４１および障子側ブラケット４２に両端部がそれぞれ軸支された支持アーム４３とを有して構成されている。支持アーム４３は、その一端側がピン４４によって略水平な回動軸回りに回動自在に枠側ブラケット４１に連結されるとともに、他端側がピン４５によって略水平な回動軸回りに回動自在に障子側ブラケット４２に連結され、略鉛直な面内で回動可能に構成されている。
【００１９】
枠側ブラケット４１は、折り曲げた板材から断面略コ字形に形成され、対向する一方の側面部４１Ａが扉体２の開口端縁２３にビス止め固定され、他方の側面部４１Ｂに支持アーム４３の一端側が連結されている。
また、左右の開口端縁２３における上部に設けられた障子支持部４（上部障子支持部４Ａ）の支持アーム４３のピン４４を挟んで他端側のピン４５と反対側端部は、後述するメンテナンス位置まで障子３が開放された際に、枠側ブラケット４１の背面部に当接して支持アーム４３を位置決めできるように構成されている。
一方、左右の開口端縁２３における下部に設けられた障子支持部４（下部障子支持部４Ｂ）の支持アーム４３同士は、枠側ブラケット４１の他方の側面部４１Ｂを貫通するとともに障子３の下框３２の下側に沿って延びる回転軸４６で互いに連結されており、この回転軸４６により一対の支持アーム４３同士の回動が同期されるようになっている。
【００２０】
次に、障子操作部５は、図８に示すように、扉体２の左右の開口端縁２３における高さ方向略中間位置の室内側側面に固定されたベース部５１と、このベース部５１に回動自在かつ見込み方向にスライド自在に支持された操作アーム５２と、この操作アーム５２に回動自在に連結されかつベース部５１に対して見込み方向にスライド自在に支持されたスライド部材５３と、このスライド部材５３を室外側に向かって付勢する付勢手段（不図示）とを有して構成されている。そして、スライド部材５３の室外側（他方側）に障子３が連結されている。また、左右一対の操作アーム５２同士は、操作ハンドル５４で連結されている。
【００２１】
ベース部５１は、開口端縁２３に固定される固定部材５１Ａと、この固定部材５１Ａに上下方向にスライド自在に支持されたスライドベース部５１Ｂとを有して構成されており、スライドベース部５１Ｂを下方にスライドさせることで、後述するように障子３をメンテナンス位置に移動させることができるようになっている。また、ベース部５１の固定部材５１Ａには、見込み方向に沿った案内溝（不図示）が形成されており、この案内溝に沿って操作アーム５２およびスライド部材５３が見込み方向にスライド可能になっている。
スライド部材５３の室外側先端部には、上方に開口して上下に長く形成された係止溝５３Ａが形成されており、この係止溝５３Ａには、障子３の縦框３３の高さ方向略中間位置に固定された被係止ピン５５が挿入されている。従って、スライド部材５３のスライドに伴って、係止溝５３Ａおよび被係止ピン５５を介してスライド部材５３に連結された障子３が見込み方向に突没移動されるようになっている。
【００２２】
以上の障子操作部５において、操作ハンドル５４を操作して操作アーム５２を、図３の状態から図５の状態まで下方へ向かって回動させることで、付勢手段に付勢されたスライド部材５３が室外側に向かってスライドされる。一方、上方へ向かって操作アーム５２を回動することで、付勢手段の付勢力に抗してスライド部材５３が室内側に向かってスライドされる。そして、スライド部材５３が室内側にスライドされた位置において、閉位置にある操作アーム５２がスライドベース部５１Ｂの室内側側面に当接する、あるいはスライド部材５３が室外側にスライドされた位置において、開位置にある操作アーム５２がスライドベース部５１Ｂに当接することで、操作アーム５２およびスライド部材５３が位置決めされるようになっている。すなわち、障子３が閉鎖位置および開放位置のいずれかの位置に位置決めされるようになっている。
【００２３】
次に、ドア１における障子３開放時の通気構造について、図９〜図１３も参照して詳しく説明する。
図９は、扉体２の開口部２Ａおよび障子３の上端部を拡大して示す縦断面図である。図１０は、扉体２の開口部２Ａおよび障子３の下端部を拡大して示す縦断面図である。図１１は、扉体２の開口部２Ａおよび障子３の側端部を拡大して示す横断面図である。図１２および図１３は、それぞれドア１における止水構造の作用を示す斜視図である。なお、図９〜図１１は、それぞれ障子３を開放位置）まで開放した状態を示している。
【００２４】
障子３の上框３１、下框３２、および縦框３３に取り付けられた上モール材３５、下モール材３６、および左右の縦モール材３７には、それぞれ室内側に突出した突片３５Ａ，３６Ａ，３７Ａが設けられている。
上モール材３５の突片３５Ａは、図９に示すように、上方（見付け方向外方）に開口した凹状の溝部３５Ｂと、この溝部３５Ｂの室内側端部の立上り上端から室外側に延びる当接面部３５Ｃとを有して形成されている。そして、溝部３５Ｂおよび当接面部３５Ｃは、上框３１の長手方向（水平方向）に沿って、左右の両端部が縦モール材３７まで延びて形成されている。一方、突片３５Ａに対向する上部の開口端縁２１の室外側端部位置には、下方（見付け方向内方）に突出した当接部材であるモヘア２１Ａが設けられている。このモヘア２１Ａは、障子３が開放位置にある状態において、突片３５Ａの当接面部３５Ｃに当接するようになっている。
【００２５】
下モール材３６の突片３６Ａは、図１０に示すように、下方（見付け方向外方）に開口した凹状の溝部３６Ｂと、この溝部３６Ｂの室内側端部の立下り下端から室外側に延びる当接面部３６Ｃとを有して形成されている。そして、溝部３６Ｂおよび当接面部３６Ｃは、下框３２の長手方向（水平方向）に沿って、左右の両端部が縦モール材３７まで延びて形成されている。一方、突片３６Ａに対向する下部の開口端縁２２の室外側端部位置には、上方（見付け方向内方）に突出した当接部材であるモヘア２２Ａが設けられている。このモヘア２２Ａは、障子３が開放位置にある状態において、突片３６Ａの当接面部３６Ｃに当接するようになっている。また、突片３６Ａには、適宜な間隔で開口が形成されるとともに、この開口を覆う網材である防虫ネット３６Ｄが溝部３６Ｂに係止されて取り付けられている。
【００２６】
縦モール材３７の突片３７Ａは、図１１に示すように、側方（見付け方向外方、図１１の左側）に開口した凹状の溝部３７Ｂと、この溝部３７Ｂの室内側端部から折れ曲がって室外側に延びる当接面部３７Ｃとを有して形成されている。そして、溝部３７Ｂおよび当接面部３７Ｃは、縦框３３の長手方向（上下方向）に沿って上端部が上モール材３５まで延び、下端部が下モール材３６まで延びて形成されている。一方、突片３７Ａに対向する縦の開口端縁２３の室外側端部位置には、側方（見付け方向内方）に突出した当接部材であるモヘア２３Ａが設けられている。このモヘア２３Ａは、障子３が開放位置にある状態において、突片３７Ａの当接面部３７Ｃに当接するようになっている。また、突片３７Ａには、適宜な間隔で開口が形成されるとともに、この開口を覆う網材である防虫ネット３７Ｄが溝部３７Ｂに係止されて取り付けられている。
【００２７】
以上のような上モール材３５、下モール材３６、および左右の縦モール材３７の突片３５Ａ，３６Ａ，３７Ａは、障子３を閉じた状態で開口端縁２１，２２，２３の内側に沿って扉体２の見込み内に収納されるようになっている。そして、障子３を開放した状態において、突片３５Ａ，３６Ａ，３７Ａは、障子３の上框３１、下框３２、および左右の縦框３３と、上下左右の開口端縁２１，２２，２３とが離隔した離隔部分である隙間２１Ｂ，２２Ｂ，２３Ｂを塞ぐようになっている。すなわち、上部の開口端縁２１位置において、突片３５Ａは、隙間２１Ｂを塞ぐことで上方からの雨水の浸入を防止しており、この突片３５Ａによって遮水手段が構成されている。つまり、図１２および図１３に示すように、突片３５Ａ上に降った雨水は、突片３５Ａの溝部３５Ｂに案内されて左右に流れ、左右の縦モール材３７位置で下方に排水されるようになっている。このような突片３５Ａの溝部３５Ｂの両端部および縦モール材３７の突片３７Ａ上端部には、雨水の流れを阻害するような立上り等が設けられておらず、溝部３５Ｂ内を流れた雨水は、縦モール材３７の突片３７Ａよりも外側にスムーズに排水されるようになっている。
【００２８】
また、下部の開口端縁２２および左右の開口端縁２３位置において、突片３６Ａ，３７Ａおよび防虫ネット３６Ｄ，３７Ｄは、隙間２２Ｂ，２３Ｂを塞ぐことで虫等の浸入を防止するとともに室内外を連通させており、これらの突片３６Ａ，３７Ａおよび防虫ネット３６Ｄ，３７Ｄによって通気防虫手段が構成されている。この際、縦モール材３７における防虫ネット３７Ｄは、図１２に示すように、突片３７Ａの長手方向略全長に渡って設けられていてもよく、また図１３に示すように、突片３７Ａの長手方向の一部に設けられていてもよい。ただし、突片３７Ａに設ける開口および防虫ネット３７Ｄの面積が大きいほど室内外の通気をより多く行うことができるため、突片３７Ａの過半の部分に開口および防虫ネット３７Ｄが設けられていることが好ましい。
【００２９】
さらに、上モール材３５、下モール材３６、および左右の縦モール材３７で構成されたモール枠は、図９に示すように、上モール材３５の位置でブラケット３５Ｄおよびビス３５Ｅを介して上框３１に取り付けられるとともに、図示しない下モール材３６位置で下框３２に係止されている。従って、ビス３５Ｅを室内側から外すことで、モール枠が障子３から室外側に向かって取り外されるようになっている。ただし、このビス３５Ｅは、障子３が開放位置にある状態では、取り外し不能になっており、以下に説明するように障子３をメンテナンス位置に開放した場合において、室内側から取り外すことができるようになっている。
【００３０】
すなわち、障子３は、図１４および図１５に示すように、開放位置よりもさらに室外側に突出したメンテナンス位置（第２開放位置）まで開放できるようになっている。
図１４および図１５は、それぞれドア１を示す縦断面図および横断面図であり、障子３をメンテナンス位置まで開いた状態を示している。
このメンテナンス位置まで障子３を開放した状態において、扉体２と障子３との間に形成される隙間から手や工具を挿入することで、障子支持部４の連結を解除して障子３を扉体２から取り外したり、下モール材３６および縦モール材３７の防虫ネット３６Ｄ，３７Ｄを掃除したり、ビス３５Ｅを室内側から外してモール枠を障子３から取り外したりすることができるようになっている。
【００３１】
このようなメンテナンス位置へ障子３を開放するためには、先ず、図１４に示すように、操作アーム５２を下方に回動させた状態（開位置）で、スライドベース部５１Ｂを操作アーム５２よりも下方までスライドさせる。これによりスライドベース部５１Ｂと操作アーム５２との当接が解除され、操作アーム５２が室外側にスライド可能になる。次に、操作アーム５２を室外側に押し出すことで、スライド部材５３が室外側にスライドされ、このスライドに伴ってスライド部材５３に連結された障子３がメンテナンス位置まで突出される。
【００３２】
このような本実施形態によれば、以下のような効果がある。
（１）すなわち、障子３を開放した際に障子３と開口部２Ａの開口端縁２１，２２，２３との間に形成される四周の隙間２１Ｂ，２２Ｂ，２３Ｂのうち、下および左右の三方の隙間２２Ｂ，２３Ｂを覆う突片３６Ａ，３７Ａおよび防虫ネット３６Ｄ，３７Ｄによって、虫や埃等の侵入を防止しかつ十分な通気を確保することができる。そして、上部の隙間２１Ｂを覆う突片３５Ａによって、雨水の浸入を確実に防止することができる。これにより、障子３を開放位置まで開放した通気時に雨が降ったとしても、上部の隙間２１Ｂからの雨水の浸入を防いで室内が濡れることが防止できる。
【００３３】
（２）さらに、障子３を閉鎖位置に移動した状態において、突片３５Ａ，３６Ａ，３７Ａが開口部２Ａの開口端縁２１，２２，２３に沿って扉体２の見込み面内に位置されるので、これらの突片３５Ａ，３６Ａ，３７Ａが建具外面に突出することがなく、これらを目立たなくすることができ、フラットな外観を有して意匠性に優れたドア１を構成することができる。
【００３４】
（３）また、上モール材３５の突片３５Ａに上方に開口した溝部３５Ｂが形成されているので、この溝部３５Ｂで雨水を左右方向に案内して排水することができ、室内側への雨水の浸入をより確実に防止することができる。また、下モール材３６および縦モール材３７の突片３６Ａ，３７Ａにおいては、下方または左右に開口した溝部３６Ｂ，３７Ｂに防虫ネット３６Ｄ，３７Ｄを係止したことで、室外側から防虫ネット３６Ｄ，３７Ｄの清掃を容易に実施することができる。
【００３５】
（４）さらに、上モール材３５、下モール材３６および縦モール材３７のいずれの突片３５Ａ，３６Ａ，３７Ａにも、溝部３５Ｂ，３６Ｂ，３７Ｂおよび当接面部３５Ｃ，３６Ｃ，３７Ｃが形成され、これらの突片３５Ａ，３６Ａ，３７Ａが略同一断面に形成されているので、開口端縁２１，２２，２３との収まりを共通化することができる。
【００３６】
（５）そして、障子３を開放した状態において、突片３５Ａ，３６Ａ，３７Ａの当接面部３５Ｃ，３６Ｃ，３７Ｃに開口端縁２１，２２，２３のモヘア２１Ａ，２２Ａ，２３Ａを当接させることで、これらの突片３５Ａ，３６Ａ，３７Ａと開口端縁２１，２２，２３との間からの虫等の侵入を防止するとともに雨水等の浸入を防止することができ、防虫性能や止水性能を向上させることができる。
【００３７】
（６）また、突片３５Ａ，３６Ａ，３７Ａを形成した上モール材３５、下モール材３６および縦モール材３７からなるモール体が障子３に対して着脱可能に構成されているので、メンテナンス位置まで障子３を開放した状態でモール体を取り外すことで、防虫ネット３６Ｄ，３７Ｄを清掃したり交換したりする作業を容易に実施することができる。
【００３８】
〔第２実施形態〕
次に、本発明の第２実施形態に係る建具であるドア１Ａについて、図１６および図１７に基づいて説明する。
図１６は、第２実施形態のドア１Ａを示す姿図であって、室外側から見た外観姿図である。図１７は、ドア１Ａを示す横断面図であり、障子３を閉じた状態を示している。
本実施形態のドア１Ａは、前記第１実施形態のドア１における障子３の室外側にガラスパネル３４を覆って格子体３Ａを取り付けたもので、扉体２や障子３、障子支持部４、障子操作部５の構成は、第１実施形態と略同様である。
【００３９】
図１６および図１７において、格子体３Ａは、左右の縦モール材３７間に渡って固定された複数の横材３８と、これらの横材３８に交差して横材３８の室外側に固定された複数の縦材３９とを有して構成されている。そして、格子体３Ａは、障子３の開閉移動に伴って障子３と一体に開閉されるようになっている。このような格子体３Ａは、前述したように障子３をメンテナンス位置に開放した状態で、室内側からビス３５Ｅを外すことで、上下左右のモール材３５，３６，３７とともに脱着可能に構成されている。
【００４０】
このような本実施形態によれば、前述の(１)〜(６）の効果に加えて以下のような効果がある。
（７）すなわち、障子３におけるガラスパネル３４の室外側を覆う格子体３Ａを設けたことで、ガラス破り等の不法行為を防止することができ、ドア１Ａの防犯性を向上させることができる。さらに、障子３が閉鎖位置や開放位置にある状態において、格子体３Ａおよび上下左右のモール材３５，３６，３７が取り外し不能で、かつ障子３がメンテナンス位置にある状態において、格子体３Ａおよび上下左右のモール材３５，３６，３７が室外側から取り外し不能であるので、防犯性をさらに向上させることができる。また、障子３をメンテナンス位置に移動させれば、室内側からビス３５Ｅを外して室外側から格子体３Ａを取り外すことができるので、交換や補修等を容易に実施することができる。
【００４１】
なお、本発明は、前記各実施形態に限定されるものではなく、本発明の目的を達成できる他の構成等を含み、以下に示すような変形等も本発明に含まれる。
例えば、前記各実施形態では、建具として出入り口に設けられるドア１，１Ａについて説明したが、本発明の建具は、ドアに限らず、窓であってもよい。そして、建具の枠体としては、ドア１，１Ａの扉体２に限らず、建物に固定された窓枠や、建物の躯体に形成された開口部であってもよい。
【００４２】
また、前記各実施形態では、遮水手段や通気防虫手段を構成する突片３５Ａ，３６Ａ，３７Ａを障子３の上モール材３５、下モール材３６および縦モール材３７に形成したが、これに限らず、図１８に示すような構成が採用可能である。すなわち、図１８において、障子３の縦框３３は、前記縦モール材３７を一体化したような断面を有して形成されており、この縦框３３に前記実施形態の突片３７Ａと同様の突片３３Ａが形成されている。そして、突片３３Ａには、前記実施形態と同様の溝部３３Ｂおよび当接面部３３Ｃが形成され、防虫ネット３３Ｄが溝部３３Ｂに係止されて取り付けられている。なお、図示を省略するが、上框３１および下框３２にも前記実施形態と同様の突片が形成され、これらの突片に溝部および当接面部が形成されるとともに、下框３２の突片に防虫ネットが取り付けられていればよい。
【００４３】
さらに、遮水手段や通気防虫手段を構成する突片は、障子３側に形成されるものに限らず、枠体（扉体２）側に形成されて枠体から室外側に向かって突出して設けられていてもよい。
また、前記実施形態の突片を省略し、可撓性を有する面状部材から遮水手段や通気防虫手段を構成して、この面状部材で面材の四周端縁と開口部の開口端縁とを連結するような構成であってもよい。そして、面材の上端縁と上部開口端縁とを連結する面状部材を止水性材料から形成し、面材の下および左右の端縁と下および左右の開口端縁とを連結する面状部材を通気性材料から形成すれば、前記実施形態と同様に、面材開放時における通気防虫性能を保持しつつ雨水の浸入を確実に防止可能な建具を構成することができる。
【００４４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４５】
【図１】本発明の第１実施形態に係る建具を示す室内側から見た姿図である。
【図２】前記建具を室外側から見た姿図である。
【図３】前記建具を示す縦断面図である。
【図４】前記建具を示す横断面図である。
【図５】前記建具において面材が開放位置にある状態を示す縦断面図である。
【図６】前記建具において面材が開放位置にある状態を示す横断面図である。
【図７】前記建具における面材の支持構造を示す横断面図である。
【図８】前記建具における面材の面材操作部を示す横断面図である。
【図９】前記建具を構成する開口部および面材の上端部を拡大して示す縦断面図である。
【図１０】前記開口部および面材の下端部を拡大して示す縦断面図である。
【図１１】前記開口部および面材の側端部を拡大して示す横断面図である。
【図１２】前記建具における面材開放時の止水構造の作用を示す斜視図である。
【図１３】前記建具における面材開放時の止水構造の作用を示す斜視図である。
【図１４】前記建具において面材が第２開放位置にある状態を示す縦断面図である。
【図１５】前記建具において面材が第２開放位置にある状態を示す横断面図である。
【図１６】本発明の第２実施形態に係る建具を示す室外側から見た姿図である。
【図１７】前記建具を示す横断面図である。
【図１８】本発明の変形例に係る建具の一部を拡大して示す横断面図である。
【符号の説明】
【００４６】
２…枠体である扉体、２Ａ…開口部、３…面材である障子、２１，２２，２３…開口端縁、２１Ａ，２２Ａ，２３Ａ…当接部材であるモヘア、２１Ｂ，２２Ｂ，２３Ｂ…離隔部分である隙間、３１…面材の上端縁である上框、３２…面材の下端縁である下框、３３…面材の左右端縁である縦框、３５Ａ，３６Ａ，３７Ａ…突片、３５Ｂ，３６Ｂ，３７Ｂ…溝部、３５Ｃ，３６Ｃ，３７Ｃ…当接面部、３６Ｄ，３７Ｄ…網材である防虫ネット。
【図１】
2006336370.tif 000003
【図２】
2006336370.tif 000004
【図３】
2006336370.tif 000005
【図４】
2006336370.tif 000006
【図５】
2006336370.tif 000007
【図６】
2006336370.tif 000008
【図７】
2006336370.tif 000009
【図８】
2006336370.tif 000010
【図９】
2006336370.tif 000011
【図１０】
2006336370.tif 000012
【図１１】
2006336370.tif 000013
【図１２】
2006336370.tif 000014
【図１３】
2006336370.tif 000015
【図１４】
2006336370.tif 000016
【図１５】
2006336370.tif 000017
【図１６】
2006336370.tif 000018
【図１７】
2006336370.tif 000019
【図１８】
2006336370.tif 000020